(57)【要約】【課題】製造工程でトラブルが起こらず、送付中に不用意に剥離してしまうことがなく、しかも、往信時に使用された封筒部分を有効利用できる封緘物を提供する。【解決手段】ＤＭ（ダイレクトメール）１０は、４つの片からなる折畳み部１１と、折畳み部１１の端片に連接された封筒紙片１２と、封筒紙片１２の折畳み部１１が連接されている側と反対側の側辺に設けられたフラップ１３と、剥離不可能な封緘用接着糊１４と、封筒紙片１２とフラップ１３との間に設けられ、２本のミシン目ｍｃを両側辺に有する切取り部１５と、封筒紙片１２，フラップ１３，切取り部１５を折畳んで形成され、折畳まれた折畳み部１１を内部に封緘する封筒部１６と、水で湿らせると粘着性を示す再湿糊１７と、往信情報欄１８と、返信情報欄１９などとを備える。【選択図】        図１
2005014929.tif 000002
【特許請求の範囲】
【請求項１】
複数の片からなる折畳み部と、
前記折畳み部の端片に連接された封緘片を折畳んで形成され、折畳まれた前記折畳み部を内部に封緘する封緘部と、を備える封緘物。
【請求項２】
請求項１に記載された封緘物において、
前記封緘部は、
前記折畳み部が連接されている側と反対側の側辺に設けられた閉じ部と、
周縁部の一部又は全部に設けられた剥離不可能な接着手段と、を備えること、を特徴とする封緘物。
【請求項３】
請求項１又は請求項２に記載された封緘物において、
前記折畳み部の前記封緘片と連接している片は、返信に必要な情報が記載された返信情報片であること、を特徴とする封緘物。
【請求項４】
請求項１から請求項３までのいずれか１項に記載された封緘物において、
前記折畳み部の天地長さは、前記封緘片の天地長さより短いこと、を特徴とする封緘物。
【請求項５】
請求項１から請求項４までのいずれか１項に記載された封緘物において、
前記封緘部は、前記封緘片と前記閉じ部との間に分離予定部を備えること、を特徴とする封緘物。
【請求項６】
請求項１から請求項５までのいずれか１項に記載された封緘物において、
前記分離予定部は、両側辺に２本の分離予定線が設けられており、
前記封緘片の面上に折畳まれた前記折畳み部は、前記封緘片の面上からはみ出しており、
前記２本の分離予定線は、はみ出した部分の端辺の両側に配置されること、を特徴とする封緘物。
【請求項７】
請求項１から請求項６までのいずれか１項に記載された封緘物において、
前記折畳み部の一部又は全部は、一端から他端へジグザグに折畳む蛇腹折りで折畳まれていること、を特徴とする封緘物。
【請求項８】
請求項１から請求項７までのいずれか１項に記載された封緘物において、
前記折畳み部の片の数は、偶数であること、を特徴とする封緘物。
【発明の詳細な説明】
【０００１】
【発明の属する技術分野】
本発明は、販促（販売促進）情報や広告が記載されたＤＭ（ダイレクトメール）などに好適に利用できる封緘物に関するものである。
【０００２】
【従来の技術】
従来、生活者に返信行動を促すようなＤＭを送付して販促活動を行う場合には、販促情報を載せた印刷物と一緒に、購入や資料請求などの申込用紙、返信用の封筒などを同封する形態や、郵便料金が安い返信用ハガキを同封する形態をとってきた。
【０００３】
返信用ハガキを使用する場合、申込内容や個人の属性などの個人情報を隠蔽したいという要望から、別途隠蔽シールなどを同封するケースが増えており、同封する封入点数が増えることで、製造上も封入手間や欠落の検査などの新たなコストが掛かっている。
【０００４】
一方、申込用紙と返信用の封筒を同封する場合は、申込用紙、返信用の封筒がばらばらに入っているため、開封後、申込の意志決定期間中にこれらを紛失し、返信の機会を逸する可能性があった。
【０００５】
また、配送、郵送コストの視点から、総重量を一定重量以下に抑えることが必要であるが、返信用の封筒を同封すると、重量が増えてしまうので、広告などといった販促情報の紙面の領域や重量に制約が生じていた。
【０００６】
これらの問題を解決するために、返信用封筒を内封し、情報を隠蔽して送り届けることができるメールフォームが知られている（例えば、特許文献１）。
【０００７】
また、返信用封筒が一体に形成されて折畳まれ、切取り線で返信用封筒を切り離せば、そのまま申込用紙などを返送できる封書型のＤＭ用紙が知られている（例えば、特許文献２）。
【０００８】
【特許文献１】
特開平７−３０４２８５号公報
【特許文献２】
実開平７−１１３６４号公報
【０００９】
【発明が解決しようとする課題】
しかし、特許文献１の方法によると、製造工程において、重ねフォーム本体の表面と裏面との両面に粘着部を設けなければならないので、製造工程が複雑で困難であり、また、給紙中にロールに貼り付いてしまう可能性があった。
【００１０】
一方、特許文献２の方法によると、往信時は、剥離可能な接着層を用いてＤＭ用紙の周縁部を接着しているが、剥離が可能なゆえに、不用意に剥離してしまうことがあり、また、このトラブルを防止するために、接着層の粘着力を強めれば、今度は、開封しづらく、最悪の場合は、ＤＭ用紙を破いてしまう可能性があった。
【００１１】
また、いずれの特許文献も、往信時に使用された封筒部分は、開封されたあとは不要となり、有効利用されていなかった。
【００１２】
本発明の課題は、製造工程でトラブルが起こらず、送付中に不用意に剥離してしまうことがなく、しかも、往信時に使用された封筒部分を有効利用できる封緘物を提供することである。
【００１３】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、複数の片（１１ａ，１１ｂ，１１ｃ，１１ｄ）からなる折畳み部（１１）と、前記折畳み部（１１）の端片に連接された封緘片（１２）を折畳んで形成され、折畳まれた前記折畳み部（１１）を内部に封緘する封緘部（１６）と、を備える封緘物である。
【００１４】
請求項２の発明は、請求項１に記載された封緘物において、前記封緘部（１６）は、前記折畳み部（１１）が連接されている側と反対側の側辺に設けられた閉じ部（１３）と、周縁部の一部又は全部に設けられた剥離不可能な接着手段（１４）と、を備えること、を特徴とする封緘物である。
【００１５】
請求項３の発明は、請求項１又は請求項２に記載された封緘物において、前記折畳み部（１１）の前記封緘片（１２）と連接している片は、返信に必要な情報が記載された返信情報片（１１ａ）であること、を特徴とする封緘物である。
【００１６】
請求項４の発明は、請求項１から請求項３までのいずれか１項に記載された封緘物において、前記折畳み部（１１）の天地長さは、前記封緘片（１２）の天地長さより短いこと、を特徴とする封緘物である。
【００１７】
請求項５の発明は、請求項１から請求項４までのいずれか１項に記載された封緘物において、前記封緘部（１６）は、前記封緘片（１２）と前記閉じ部（１３）との間に分離予定部（１５）を備えること、を特徴とする封緘物である。
【００１８】
請求項６の発明は、請求項１から請求項５までのいずれか１項に記載された封緘物において、前記分離予定部（１５）は、両側辺に２本の分離予定線（ｍｃ）が設けられており、前記封緘片（１２）の面上に折畳まれた前記折畳み部（１１）は、前記封緘片（１２）の面上からはみ出しており、前記２本の分離予定線（ｍｃ）は、はみ出した部分の端辺の両側に配置されること、を特徴とする封緘物である。
【００１９】
請求項７の発明は、請求項１から請求項６までのいずれか１項に記載された封緘物において、前記折畳み部（１１）の一部又は全部は、一端から他端へジグザグに折畳む蛇腹折りで折畳まれていること、を特徴とする封緘物である。
【００２０】
請求項８の発明は、請求項１から請求項７までのいずれか１項に記載された封緘物において、前記折畳み部（１１）の片の数は、偶数であること、を特徴とする封緘物である。
【００２１】
【発明の実施の形態】
以下、図面等を参照して、本発明の実施の形態について、さらに詳しく説明する。
（実施形態）
図１は、本発明による封緘物の実施形態を模式的に示す図である。
本実施形態によるＤＭ１０（封緘物）は、４つの片（返信に必要な情報が記載された返信情報片１１ａ，２本のミシン目ｍｃを両側辺に有し、申込情報を記入できる申込情報片１１ｂ，広告や宣伝などが記載されている２枚の情報片１１ｃ，１１ｄ）からなる折畳み部１１と、折畳み部１１の端片に連接された２枚の封筒紙片１２と、封筒紙片１２の折畳み部１１が連接されている側と反対側の側辺に設けられたフラップ１３と、フラップ１３の端部及び一方の封筒紙片１２の天地部分に設けられた剥離不可能な封緘用接着糊１４と、封筒紙片１２とフラップ１３との間に設けられ、２本のミシン目ｍｃを両側辺に有する切取り部１５と、申込情報片１１ｂの両側辺に設けられた２本のミシン目ｍｃと、封筒紙片１２，フラップ１３，切取り部１５を折畳んで形成され、折畳まれた折畳み部１１を内部に封緘する封筒部１６と、返信情報片１１ａの周縁部の３辺に塗布され、常態では粘着性を示さずに、水で湿らせると粘着性を示す再湿糊１７と、宛名，住所，郵便区分などの往信情報、返信情報が記載された往信情報欄１８、返信情報欄１９などとを備える。
【００２２】
次に、本実施形態によるＤＭ１０の製造方法を説明する。
まず、図１（Ａ）に示すように、ＤＭ１０に使用する横長の紙を用意し、封緘用接着糊１４と接着しないように、折畳み部１１の天地長さを封筒紙片１２の天地長さより短くし、情報片１１ｄの左右方向の幅を他の３紙片（１１ａ，１１ｂ，１１ｃ）より長くする。返信情報片１１ａの裏面には、返信情報欄１９を、申込情報片１１ｂには、申込に必要な記入欄を、２つある封筒紙片１２の左側の封筒紙片１２の裏面には、往信情報欄１８を、他の紙片には、必要に応じて販促情報や広告などをそれぞれ印刷する。申込情報片１１ｂと切取り部１５との両側辺にミシン目ｍｃを設け、封緘用接着糊１４と再湿糊１７とを塗布する。
【００２３】
ついで、図１（Ｂ）に示すように、一端から他端へジグザグに折畳む蛇腹折りで折畳み部１１を折畳み、図１（Ｃ）に示すように、折畳み部１１を一つに折畳む。この状態で、封筒紙片１２の面上に折畳まれた折畳み部１１は、情報片１１ｄの幅を長くしたので、封筒紙片１２の面上から端部がはみ出している。
【００２４】
さらに、図１（Ｄ）に示すように、左側の封筒紙片１２を折畳み部１１に重なるように内側に折り返し、封緘用接着糊１４を用いて封筒紙片１２の天地部分を剥離不可能に接着する。
【００２５】
最後に、図１（Ｅ）に示すように、フラップ１３を内側に折り返し、フラップ１３の端部に設けられた封緘用接着糊１４を用いて封筒部１６を完全に封緘し、ＤＭ１０が完成する。
なお、切取り部１５の両側辺に設けられた２本のミシン目ｍｃは、折畳み部１１のはみ出した部分の端辺の両側に配置されている。
【００２６】
以上のようにして、図１（Ｅ）に示した状態のＤＭ１０が完成したら、封緘物１０は、郵送や宅配便などの配送手段によって、往信情報欄１８に記載された生活者に届けられる。
【００２７】
ここで、ＤＭ１０の開封方法について説明する。
図２は、本発明による封緘物の実施形態の開封方法を模式的に示す図である。
まず、図２（Ａ）に示すように、ＤＭ１０が届いたら、生活者側では、２本のミシン目ｍｃを用いて切取り部１５を切り離してゆく。
【００２８】
ついで、図２（Ｂ）に示すように、切取り部１５を完全に切り離すと、折畳み部１１の端部が表出し、折畳み部１１を引き出すことによって、内部に記載されている内容を確認できる。
【００２９】
さらに、図２（Ｃ）に示すように、ミシン目ｍｃを用いて、申込情報片１１ｂを切り離す。
【００３０】
そして、図２（Ｄ）に示すように、申込情報片１１ｂの記入欄に必要事項を記入してから、申込情報片１１ｂを封筒部１６に挿入し、返信情報片１１ａに塗布されている再湿糊１７を水で湿らせて、図２（Ｅ）に示すように、返信情報片１１ａを折り返して封緘する。
【００３１】
最後に、図２（Ｆ）に示すように、フラップ１３を内側に折り返して、糊や接着剤などで封止し、ＤＭ１０は、郵送や宅配便などの配送手段によって、返信情報欄１９に記載された送り主に返信される。
【００３２】
このように、本実施形態によれば、返信用封筒として再利用可能な封筒部１６と、生活者に届けたい販促情報の印刷物と、申込用紙とが一体になったＤＭ１０を提供できたので、製造工程においては、同封物の封入欠落を防止し、送付封筒の再利用により資源の無駄を省け、また、返信用封筒を別途同封する必要がなくなったので、規定の重量限界まで販促情報に紙面を割くことで、販促効果を高めることができた。
【００３３】
また、切取り部１５の両側辺に設けられた２本のミシン目ｍｃを、折畳まれた折畳み部１１のはみ出した部分の端辺の両側に配置されるようにしたので、切取り部１５を切り離した場合に、折畳み部１１の端部が表出し、折畳み部１１を引き出すきっかけとなり、折畳み部１１の天地長さを封筒紙片１２の天地長さより短くしたので、折畳み部１１が引き出しやすく、しかも、蛇腹折りで折畳み部１１を折畳んだので、引き出し時の動作が滑らかになった。
【００３４】
さらに、製造工程において、各接着糊は、片面にしか塗布されないので、給紙中のトラブルがなくなり、また、ＤＭ１０を封緘するための封緘用接着糊１４には、剥離不可能な接着糊を用いたので、送付中の不用意な剥離がなくなった。
【００３５】
さらにまた、折畳み部１１を４（偶数）つの片で構成したので、封筒紙片１２の面上に折畳んだ場合に、折畳み部１１の封筒紙片１２と連接していない側の端部が、切取り部１５を切り取ることによって形成される帯状部分付近に表出しやすくなった。
【００３６】
（変形形態）
以上説明した実施形態に限定されることなく、種々の変形や変更が可能であって、それらも本発明の均等の範囲内である。
（１）  本実施形態では、分離予定線は、ミシン目としたが、マイクロミシン目やハーフカットなどの他のカット線でもよい。
【００３７】
（２）  本実施形態では、折畳み部１１をはみ出させる方法として、情報片１１ｄの左右方向の幅を他の３紙片より長くする方法で説明したが、情報片１１ｃの左右方向の幅を他の３紙片より短くする方法でもよく、また、４紙片の左右方向の幅は一定にして、情報片１１ｄの側辺に、半円状や四角形などの取っ手を設けてもよい。
【００３８】
（３）  図２（Ｆ）において、最終的にフラップ１３を内側に折り込む場合は、、糊や接着剤などで封止する例で説明したが、用途に応じて、封緘用接着糊１４と隣接する部分に、返信用の剥離不可能な接着層を剥離紙で覆って設けておいてもよい。
【００３９】
（４）  本実施形態では、往信情報欄１８と返信情報欄１９とは、ＤＭ１０に直接印刷することにより形成したが、別途作製したラベルを貼り込むことによって形成してもよい。
【００４０】
（５）  本実施形態では、折畳み部１１は、蛇腹折りで４紙片を折畳む例で説明したが、折畳む紙片数は、必要に応じて増減させてよい。
【００４１】
【発明の効果】
以上詳しく説明したように、本発明によれば、封緘部と折畳み部とを一体化させ、往信後には廃棄されるだけであった封緘部を返信時に再利用したので、環境問題を低減でき、また、剥離不可能な接着手段を片面に設けたので、製造工程でのトラブルを減少させることができ、送付中には不用意な剥離を防止できた。
【図面の簡単な説明】
【図１】本発明による封緘物の実施形態を模式的に示す図である。
【図２】本発明による封緘物の実施形態の開封方法を模式的に示す図である。
【符号の説明】
１０  ＤＭ（ダイレクトメール）
１１  折畳み部
１１ａ  返信情報片
１１ｂ  申込情報片
１１ｃ  情報片
１１ｄ  情報片
１２  封筒紙片
１３  フラップ
１４  封緘用接着糊
１５  切取り部
１６  封筒部
１７  再湿糊
１８  往信情報欄
１９  返信情報欄
ｍｃ  ミシン目
【図１】
2005014929.tif 000003
【図２】
2005014929.tif 000004